(57)【特許請求の範囲】
【請求項１】
生体試料と、
式（１）で表される化合物の少なくとも１種と、を含み、
前記式（１）において、ｍ＝１９かつ８≦ｎ≦１６であり、
前記化合物は、前記生体試料の２重量％以上かつ３重量％以下含まれることを特徴とする吐出用液体。
【化１】
0005605760.tif 000010
【請求項２】
前記式（１）において、ｍ＝１９かつｎ＝８であることを特徴とする請求項１に記載の吐出用液体。
【請求項３】
前記生体試料は、血清を含むことを特徴とする請求項１または請求項２のいずれかに記載の吐出用液体。
【請求項４】
生体試料に、式（１）で表される化合物の少なくとも１種を、前記化合物が前記生体試料の２重量％以上かつ３重量％以下含まれるように添加し、インクジェット法を用いて吐出する、生体試料の吐出方法。
【化２】
0005605760.tif 000011
（式（１）において、ｍ＝１９かつ８≦ｎ≦１６である。）
【請求項５】
式（１）で表され、生体試料に、前記生体試料の２重量％以上かつ３重量％以下含まれるように添加してインクジェット法を用いて吐出するための化合物。
【化３】
0005605760.tif 000012
（式（１）において、ｍ＝１９かつ８≦ｎ≦１６である。）
【発明の詳細な説明】
【技術分野】
【０００１】
本発明は、吐出用液体、生体試料の吐出方法、及び化合物等に関するものである。
【背景技術】
【０００２】
血液中に含まれる数十項目の生体分子について検査をするためには、現状では数十ｃｃの血液が必要である。このため、検査に必要な血液量を大幅に減らす検出技術が必要とされている。
【０００３】
微量の液体を正確にかつ効率良く分注する方法として、インクジェット技術の利用が考えられる。例えば、特許文献１には、蛋白質及びペプチドの少なくとも１種を含有した溶液を熱エネルギーを利用するインクジェット方式により吐出する例が記載されている。
【先行技術文献】
【特許文献】
【０００４】
【特許文献１】特開２００８−１３７９６７号公報
【発明の概要】
【発明が解決しようとする課題】
【０００５】
血液などの生体試料には、例えば蛋白質のようにインクジェットヘッドの吐出口付近や流路の表面に非特異的に吸着しやすい分子が多く含まれている。このため、これらの分子が付着することにより吐出口や流路を詰まらせてしまい、安定した吐出ができなくなる場合がある。また、吐出された生体試料に対して生化学検査を施すため、含まれる生体分子の生理活性を維持する必要もある。しかし、特許文献１には、このような課題の具体的な解決方法については記載されていない。
【０００６】
本発明は、上記の事情に鑑みてなされたものであり、その目的の一つは、生体分子の生理活性を低下させずに、微細な吐出口からの安定した吐出を行うことが可能な、生体試料を含む吐出用液体を得ることである。
【課題を解決するための手段】
【０００７】
本発明に係る吐出用液体は、生体試料と、式（１）で表される化合物の少なくとも１種と、を含み、式（１）において、ｍ≧８、かつ６≦ｎ≦２０であることを特徴とする。
【化１】
0005605760.tif 000002
【０００８】
これにより、生体試料中に含まれる蛋白質等の分子がインクジェットヘッドの吐出口付近や流路の表面に付着して吐出口や流路を詰まらせることを防止でき、安定した吐出を行うことができる。また、生体試料にこれらの化合物を添加しても、生体試料に含まれる生体分子の生理活性を低下させることなく、高い生化学反応の再現性を得られる。
【０００９】
化合物は、生体試料の２重量％以上含まれることが望ましい。
これにより、吐出用液体をインクジェットヘッドに充填してからの経過時間が長くなっても、十分な吐出の安定性が得られる。
【００１０】
式（１）において、ｍ≧１６かつｎ＝８であることが望ましい。
これにより、吐出用液体をインクジェットヘッドに充填してからの経過時間が長くなっても、十分な吐出の安定性が得られる。
【００１１】
生体試料は、血清を含むことが望ましい。
これにより、検査に必要な血液採取量を大幅に減らすことができる。
【００１２】
本発明に係る生体試料の吐出方法は、生体試料に、式（１）で表される化合物の少なくとも１種を添加し、インクジェット法を用いて吐出するものである。
【化２】
0005605760.tif 000003
（式（１）において、ｍ≧８、かつ６≦ｎ≦２０である。）
【００１３】
これにより、生体試料中に含まれる蛋白質等の分子がインクジェットヘッドの吐出口付近や流路の表面に付着して吐出口や流路を詰まらせることを防止でき、安定した吐出を行うことができる。また、生体試料にこれらの化合物を添加しても、生体試料に含まれる生体分子の生理活性を低下させることなく、高い生化学反応の再現性を得られる。
【００１４】
本発明に係る化合物は、式（１）で表され、生体試料に添加してインクジェット法を用いて吐出するためのものである。
【化３】
0005605760.tif 000004
（式（１）において、ｍ≧８、かつ６≦ｎ≦２０である。）を備えたものである。
【００１５】
式（１）で表される化合物を生体試料に添加することにより、生体試料中に含まれる蛋白質等の分子がインクジェットヘッドの吐出口付近や流路の表面に付着して吐出口や流路を詰まらせることを防止でき、安定した吐出を行うことができる。また、生体試料にこの化合物を添加しても、生体試料に含まれる生体分子の生理活性を低下させることなく、高い生化学反応の再現性を得られる。
【図面の簡単な説明】
【００１６】
【図１】本発明の実施の形態による吐出用液体に含まれる血清蛋白質分子の生化学反応活性の測定結果を示す表である。
【図２】本発明の実施の形態による吐出用液体に含まれる血清蛋白質分子の生化学反応活性の測定結果を示す表である。
【図３】本発明の実施の形態による吐出用液体への化合物の添加量を変えたときの、血清蛋白質分子の生化学反応活性の測定結果を示す表である。
【発明を実施するための形態】
【００１７】
以下、本発明の実施の形態について説明する。
本発明の実施の形態による吐出用液体は、生体試料に化合物を添加することにより得られる。添加する化合物は、以下の式（１）で表される化合物である。化合物（１）は、エチレングリコール鎖をＥ、ペプチド結合鎖（ＣＯＮＨ）をＰ、アルキル鎖をＫとすると、Ｅ−Ｐ−Ｋで表される直鎖構造をもつエチレングリコール系界面活性分子である。
【化４】
0005605760.tif 000005
【００１８】
化合物（１）は、鎖長ｍのエチレングリコール鎖と、鎖長ｎのアルキル鎖を含み、ここで、ｍ≧８かつ６≦ｎ≦２０であり、特に、ｍ≧１６かつｎ＝８であることが好ましい。
【００１９】
生体試料とは血液、血清等である。ここでは、ヒト血清サンプルＣＲＰＩＩ（ヒト血清中にＣ反応性たんぱく質を一定濃度になるように添加したもの。）を用いる。
【００２０】
表１に、化合物（１）の例を示す。
【表１】
0005605760.tif 000006
【００２１】
次に、化合物（１）の合成方法の例について説明する。
10mmolの脂肪酸塩化物を５０mlのジクロロメタンに溶解させ、12mmolのＮ−ヒドロキシ琥珀酸イミドを加えて攪拌する。さらにトリエチルアミン２mlを添加した後、室温にて３０分攪拌させる（式２）。その後、11.1mmolのモノアミノＰＥＧ１９（分子量：898.1、Polypure製）を一度に加えてさらに攪拌する。添加したモノアミノＰＥＧ１９の約９０％が消費されたことをＨＰＬＣ等で確認したら、50mlのＨＣｌに対して反応混合物が５％となるように混合して短時間攪拌する。抽出過程では、有機層を数回水で洗浄し、その後有機層を真空濃縮してジクロロメタンを除去する。残余物にジエチルエーテルを加え、数回のデカンテーションを行った後、乾燥させて白色固形物を得る（式３）。化合物（１）の収率は７５〜９０％である。
【化５】
0005605760.tif 000007
【化６】
0005605760.tif 000008
ただし、Ｒはアルキル鎖を表す。
【００２２】
次に、本実施形態による吐出用液体の製造方法について説明する。ここでは、生体試料として血清を用いる場合を例に説明する。
最初に、ヒト血清サンプルＣＲＰＩＩ（ヒト血清中にＣＲＰたんぱく質を一定濃度になるように添加したもの。）に、化合物（１）を添加し、できるだけ振とうせずに血清中に溶解させる。添加する量は、血清液の２重量％以上が望ましい。溶解は室温で行う。または、３５度に暖めた水中に容器を浸漬させて、軽く動かしながら溶かすようにしてもよい。これにより、溶解速度を上げることができる。
溶解後、析出沈降した不溶分を除き、溶解液を５℃にて半日間保存する。
【００２３】
次に、本発明による吐出用液体をインクジェットヘッドに充填して吐出を行う。
図１，２は、吐出後の血清蛋白質分子の生化学反応活性の測定結果を示す表である。図１，２は、参照測定データ（ref）として血清サンプルのみで測定した時の測定値と、血清にそれぞれＣ１２Ｐ１９、Ｃ８Ｐ１９、Ｃ１６Ｐ１９、Ｐ２５（Ｐ１７７７、東京化成）を添加したものの測定値を示している。なお、参照測定データ測定用の血清はインクジェットヘッドからの吐出を行っていないが、他のデータについてはインクジェットヘッドからの吐出を行ったもので測定している。図１は実際の生化学反応活性の測定値を２例ずつ示しており、図２は、図１の各測定データの平均値と参照測定データとの差異（％）を示している。参照測定データとの差異が１０％以上の場合は太字で示している。
【００２４】
Ｐ２５（Ｐ１７７７）は以下の式（４）で表される化合物であり、化合物（１）と異なり、エチレングリコール鎖とアルキル鎖の間のペプチド結合鎖（ＣＯＮＨ）が無い構造をもつエチレングリコール系界面活性分子である。
【化７】
0005605760.tif 000009
ただし、ｎ＝１２、５＜ｍ＜３０
【００２５】
図２に示すように、アルキル鎖長が短い（ｎが小さい）化合物を添加した場合に、血清中の蛋白質の生理活性の保持により高い効果があることが分かる。特にＣ８Ｐ１９を２重量％以上添加した場合には、ほとんどのたんぱく質検査項目について高い生化学反応の再現性が得られた。
【００２６】
また、Ｃ１２Ｐ１９、Ｃ１６Ｐ１９についても、ＡＬＴ、ＣＲＰ等の一部の蛋白質を除いて、高い生化学反応の再現性が見られた。なお、Ｐ２５（Ｐ１７７７）についても一部の蛋白質を除いて、高い生化学反応の再現性が見られたが、Ｃ１２Ｐ１９、Ｃ８Ｐ１９、及びＣ１６Ｐ１９の方が血清中の蛋白質の生理活性の保持により高い効果があることが分かった。
【００２７】
また、血清には、蛋白質のようにインクジェットヘッドの吐出口付近や流路の表面に非特異的に吸着しやすい分子が多く含まれているため、これらの分子が付着することにより吐出口や流路を詰まらせてしまうことがある。また、時間の経過によって血清液は乾燥、凝固することも吐出口や流路を詰まらせる原因となる。本実施形態による吐出用液体は、血清等に、式（１）で表される化合物を２重量％以上添加することにより、血清中に含まれる蛋白質がインクジェットヘッドの吐出口付近や流路の表面に付着して吐出口や流路を詰まらせることを防止でき、安定した吐出を行うことができる。なお、添加量を２重量％より少なくした場合は吐出安定性が不十分である。
【００２８】
以上のように、本実施形態による吐出用液体は、血清等に式（１）で表される化合物を２重量％以上添加したことにより、血清中に含まれる蛋白質がインクジェットヘッドの吐出口付近や流路の表面に付着して吐出口や流路を詰まらせることを防止でき、安定した吐出を行うことができる。
【００２９】
また、血清にこれらの化合物を添加しても、血清に含まれる生体分子の生理活性を低下させることなく、一部の蛋白質を除いては、高い生化学反応の再現性を得られる。
【００３０】
また、式（１）で表される化合物の分子中に含まれるアルキル鎖長が短い（ｎが小さい）ものほど、血清中の蛋白質の生理活性の保持により高い効果がある。
【００３１】
なお、本実施形態では、化合物（１）は、エチレングリコール鎖をＥ、ペプチド結合鎖（ＣＯＮＨ）をＰ、アルキル鎖をＫとすると、Ｅ−Ｐ−Ｋで表される直鎖構造をもつエチレングリコール系界面活性分子としたが、例えば（Ｅ−Ｐ）２―Ｋ（アルキル鎖Ｋの炭素と結合する水素が２つ（Ｅ−Ｐ）で置換されたもの。）または（Ｅ−Ｐ）３−Ｋ（アルキル鎖Ｋの炭素と結合する水素が３つ（Ｅ−Ｐ）で置換されたもの。）のような分岐構造をもつ分子でも良い。
【００３２】
図３は、化合物（１）の添加量を変えたときの、吐出後の血清蛋白質分子の生化学反応活性の測定結果を示す表である。参照測定データ（ref１及びref２）として血清サンプルのみで測定した時の測定値と、血清にそれぞれＣ８Ｐ１９、Ｃ１２Ｐ１９、Ｃ１６Ｐ１９、を２重量％または３重量％添加したものの測定値を示す。参照測定データ測定用の血清（化合物（１）の添加量０重量％）は、インクジェットヘッドから吐出を行うことができなかった。血清にそれぞれＣ８Ｐ１９、Ｃ１２Ｐ１９、Ｃ１６Ｐ１９、を２重量％または３重量％添加したものは、インクジェットヘッドから吐出を行った後で、それぞれの血清を回収して測定している。測定は２回行い、差異（％）の欄には、２回の測定データの平均値と参照測定データとの差異を百分率で示している。この差異が±１０％以内に収まるかどうかが、それぞれの測定法を実験に用いることができるか否かを判断する上での１つの目安となっている。
【００３３】
図３に示すように、Ｃ８Ｐ１９を２重量％または３重量％添加した場合、各項目で差異が±１０％以内となっていることがわかる。よって、Ｃ８Ｐ１９を２重量％以上添加することにより、生体分子の生理活性を維持しつつ、インクジェット技術を用いて微量サンプルの吐出を行うことができることがわかった。また、それぞれの化合物（１）を２重量％以上添加することにより、安定したピエゾインクジェット方式による吐出を行うことができることがわかった。
【図１】
0005605760.tif 000013
【図２】
0005605760.tif 000014
【図３】
0005605760.tif 000015